(57)【要約】【課題】予定位置まで延伸すると、緩衝作用が生じるスライドレールアセンブリを提供する。【解決手段】スライドレールアセンブリ２０は、第一レール２２、ボールアセンブリ２６、第二レール２４、及びダンピング装置２８を備える。第一レール２２は前端３１ａ、後端３１ｂ、及び前端３１ａと後端３１ｂとの間、に位置する中間部３１ｃを有する。第二レール２４は第一レール２２に相対して移動する。ボールアセンブリ２６は、第一レール２２の前端３１ａと、第一レール２２の後端３１ｂと、の間に移動可能に取り付けられ、係止部４４を有するボール保持器３６及び複数のボール３８を有する。ダンピング装置２８は、第一レール２２の中間部３１ｃに取り付けられ、ボール保持器３６の係止部４４に対して緩衝力を生じさせる。ボール保持器３６は、第二レール２４に連動するため、係止部４４がダンピング装置２８に接触し、緩衝作用が生じる。【選択図】図２
2018069033.tif 000002
【特許請求の範囲】
【請求項１】
第一レール、第二レール、ボールアセンブリ、及びダンピング装置を備え、
前記第一レールは、前端、後端、及び前記前端と前記後端との間、に位置する中間部を有し、
前記第二レールは、前記第一レールに相対して移動し、
前記ボールアセンブリは、前記第一レールの前記前端と、前記第一レールの前記後端と、の間に移動可能に取り付けられ、係止部を有するボール保持器及び複数のボールを有し、
前記ダンピング装置は、前記ボール保持器の係止部に対して緩衝作用を生じさせることを特徴とするスライドレールアセンブリ。
【請求項２】
前記第一レールは、上壁、下壁、及び前記上壁と前記下壁との間、に接続する側壁を有し、
前記ボール保持器は、上保持部、下保持部、及び前記上保持部と前記下保持部との間、に接続する側部を有し、
前記上保持部は、前記第一レールの前記上壁に隣り合う箇所に位置し、
前記下保持部は、前記第一レールの前記下壁に隣り合う箇所に位置し、
前記側部は、前記第一レールの前記側壁に隣り合う箇所に位置し、
前記複数のボールは、前記上保持部と、前記下保持部と、にそれぞれ取り付けられることを特徴とする請求項１に記載のスライドレールアセンブリ。
【請求項３】
ストッパをさらに備え、
前記ボール保持器は、前記側部に隣り合う箇所に位置する突出部を有し、
前記ストッパの位置は、突出部に対応することを特徴とする請求項２に記載のスライドレールアセンブリ。
【請求項４】
前記係止部は、前記ボール保持器の前記側部に位置することを特徴とする請求項２に記載のスライドレールアセンブリ。
【請求項５】
前記ダンピング装置は、前記第一レールの中間部に取り付けられ、
前記ダンピング装置は、筒体及びピストンロッドを有し、
前記ピストンロッドは、筒体の外部に突出し、
前記ピストンロッドが外力に押されると、前記ピストンロッドが筒体の内部に収納され、前記ボール保持器の係止部に緩衝作用を生じさせることを特徴とする請求項１に記載のスライドレールアセンブリ。
【請求項６】
前記ピストンロッドに取り付けられる部品をさらに有し、
前記部品は、前記ボール保持器の係止部に対応することを特徴とする請求項５に記載のスライドレールアセンブリ。
【請求項７】
第三レールをさらに備え、
前記第一レールは、前記第三レールに相対して移動することを特徴とする請求項１に記載のスライドレールアセンブリ。
【請求項８】
第一レール、第二レール、及びダンピング装置を備え、
前記第二レールは、前記第一レールに相対して移動し、
前記ダンピング装置は、前記第一レールに取り付けられ、
前記第二レールが前記第一レールに相対して収納位置から一方向に向かい、予定位置まで移動するとき、前記ダンピング装置は、前記第二レールに緩衝作用を生じさせることを特徴とするスライドレールアセンブリ。
【請求項９】
前記第一レールと、前記第二レールと、の間に移動可能に取り付けられるボールアセンブリをさらに備え、
前記ボールアセンブリは、ボール保持器及び前記ボール保持器に取り付けられる複数のボールを有し、前記複数のボールは、前記第二レールに接触し、
前記第二レールが前記第一レールに相対して前記一方向に向かって移動するとき、前記ボール保持器は前記第二レールに連動し、前記予定位置まで移動するとき、前記ボール保持器が前記ダンピング装置に接触して緩衝作用を生じさせることを特徴とする請求項８に記載のスライドレールアセンブリ。
【請求項１０】
前記ボール保持器は、係止部を有し、
前記ダンピング装置は、筒体及びピストンロッドを有し、
前記ピストンロッドは、筒体の外部に突出し、
前記ピストンロッドが外力に押されるとき、前記ピストンロッドが筒体の内部に収納され、前記ピストンロッドが前記ボール保持器の係止部に対応し、前記ボール保持器の係止部に緩衝作用を生じさせることを特徴とする請求項９に記載のスライドレールアセンブリ。
【発明の詳細な説明】
【技術分野】
【０００１】
本発明は、緩衝作用が生じるスライドレールアセンブリに関する。
【背景技術】
【０００２】
特許文献１に、レールが延伸するとき緩衝作用が生じるスライドレールアセンブリがＣｈｅｎ等により開示された。レールが末端段まで延伸すると、接触摩擦によりレールが開き緩衝作用が生じ、レールが減速する。
なお、他のスライドレールに関する技術が特許文献２に開示されている。
【先行技術文献】
【特許文献】
【０００３】
【特許文献１】米国特許第８、９１９、８９７  Ｂ２号明細書
【特許文献２】米国特許第８、２１０、６２３  Ｂ２号明細書
【発明の概要】
【発明が解決しようとする課題】
【０００４】
しかしながら、スライドレールアセンブリには、例えば、電子サーバーのシャーシ（ｃｈａｓｓｉｓ）をはじめ、さまざまな重さの搭載物が搭載される。
さまざまな重さの搭載物が搭載されるため、レールが末端段まで延伸するとき、接触摩擦による緩衝作用を発生させて減速させる設計では、市場ニーズの変化に合わない。
さらに、特許文献１に開示された接触摩擦を利用した場合は、摩擦回数に制限があり、減速効果が低下しやすい。
【０００５】
本発明の目的は、予定位置まで延伸すると、緩衝作用が生じるスライドレールアセンブリを提供することにある。
【課題を解決するための手段】
【０００６】
本発明の観点の一つによるスライドレールアセンブリは、第一レール、第二レール、ボールアセンブリ、及びダンピング装置を備える。
第一レールは、前端、後端、及び前端と後端との間、に位置する中間部を有する。
第二レールは、第一レールに相対して移動する。
ボールアセンブリは、第一レールの前端と、第一レールの後端と、の間に移動可能に取り付けられる。
ボールアセンブリは、係止部を有するボール保持器及び複数のボールを有する。
ダンピング装置は、ボール保持器の係止部に対して緩衝作用を生じさせる。
【０００７】
好ましくは、ダンピング装置は、第一レールの前端に取り付けられる。
【０００８】
好ましくは、第一レールは、上壁、下壁、及び上壁と下壁との間、に接続する側壁を有する。
ボール保持器は、上保持部、下保持部、及び上保持部と下保持部との間、に接続する側部を有する。
上保持部は、第一レールの上壁に隣り合う箇所に位置する。
下保持部は、第一レールの下壁に隣り合う箇所に位置する。
側部は、第一レールの側壁に隣り合う箇所に位置する。
複数のボールは、上保持部と、下保持部と、にそれぞれ取り付けられる。
【０００９】
好ましくは、ストッパをさらに備える。
ボール保持器は、側部に隣り合う箇所に位置する突出部を有する。
ストッパの位置は、突出部に対応する。
【００１０】
好ましくは、係止部は、ボール保持器の側部に位置する。
【００１１】
好ましくは、ダンピング装置は、第一レールの中間部に取り付けられる。
ダンピング装置は、筒体及びピストンロッドを有する。
ピストンロッドは、筒体の外部に突出する。
ピストンロッドが外力に押されるとき、ピストンロッドが筒体の内部に収納され、ボール保持器の係止部に緩衝作用を生じさせる。
【００１２】
好ましくは、ピストンロッドに取り付けられる部品をさらに備える。
部品は、ボール保持器の係止部に対応する。
【００１３】
好ましくは、ダンピング装置は、ボール保持器の係止部に対応する。
第二レールが第一レールに相対して移動するとき、ボール保持器が第二レールに連動され、予定位置まで移動するとき、ボール保持器がダンピング装置に接触し緩衝作用が生じる。
【００１４】
好ましくは、第三レールをさらに備える。第一レールは、第三レールに相対して移動する。
【００１５】
本発明の別の観点によるスライドレールアセンブリは、第一レール、第二レール、及びダンピング装置を備える。
第二レールは、第一レールに相対して移動する。
ダンピング装置は、第一レールに取り付けられる。
第二レールが第一レールに相対して収納位置から一方向に向かい、予定位置まで移動するとき、ダンピング装置は、第二レールに緩衝作用を生じさせる。
【００１６】
好ましくは、ボ−ルアセンブリを備える。
ボールアセンブリは、第一レールと、第二レールと、の間に移動可能に取り付けられる。
ボールアセンブリは、ボール保持器及び前記ボール保持器に取り付けられる複数のボールを有する。
複数のボールは、第二レールに接触する。
第二レールが第一レールに相対して一方向に向かって移動するとき、ボール保持器は第二レールに連動し、予定位置まで移動する。このとき、ボール保持器がダンピング装置に接触して緩衝作用を生じさせる。
【００１７】
好ましくは、ボール保持器は、係止部を有する。
ダンピング装置は、筒体及びピストンロッドを有する。
ピストンロッドは、筒体の外部に突出する。
ピストンロッドが外力に押されるとき、ピストンロッドが筒体の内部に収納され、ピストンロッドがボール保持器の係止部に対応し、ボール保持器の係止部に緩衝作用を生じさせる。
【図面の簡単な説明】
【００１８】
【図１】本発明の一実施形態のスライドレールアセンブリを示す斜視図である。
【図２】本発明の一実施形態のスライドレールアセンブリを示す分解斜視図である。
【図３】図２のＡ区域の示す拡大図である。
【図４】本発明の一実施形態のスライドレールアセンブリが収納位置にある状態の模式図である。
【図５】本発明の一実施形態のスライドレールアセンブリの第二レールが第一レールに相対して延伸している状態の模式図である。
【図６】本発明の一実施形態のスライドレールアセンブリの第二レールが第一レールに相対して一位置まで移動し、第二レールのストッパがボール保持器の突出部に接触している状態を示す模式図である。
【図７】図６のＡ区域の示す拡大図である。
【図８】本発明の一実施形態のスライドレールアセンブリのボール保持器の係止部がダンピング装置に接触直後の状態を示す模式図である。
【図９】図８のＡ区域の示す拡大図である。
【図１０】本発明の一実施形態のスライドレールアセンブリのボール保持器の係止部がダンピング装置にさらに接触し、ピストンロッドが筒体の内部に完全に収納される状態を示す模式図である。
【図１１】図１０のＡ区域の示す拡大図である。
【発明を実施するための形態】
【００１９】
（一実施形態）
図１から図４に示す通り、本発明一実施形態のスライドレールアセンブリ２０は、第一レール２２、第二レール２４、ボールアセンブリ２６、及びダンピング装置２８を備える。
【００２０】
第一レール２２は、上壁３０ａ、下壁３０ｂ、及び上壁３０ａと下壁３０ｂとの間に接続される側壁３２、を有する。
第一レール２２は、前端３１ａ、後端３１ｂ、及び前端３１ａと後端３１ｂとの間に位置する中間部３１ｃ、を有する。
【００２１】
第二レール２４は、第一レール２２に相対して移動する。
第二レール２４は、ストッパ３４が設置される。ストッパ３４は、付加的な部材、或いは第二レール２４に一体成形される。その設置方法は、上記に制限されるものではなく、他にも様々な設置方法を取り得る。
【００２２】
ボールアセンブリ２６は、第一レール２２と、第二レール２４と、の間に移動可能に取り付けられる。ボールアセンブリ２６は、第一レール２２の前端３１ａと、第一レール２２の後端３１ｂと、の間に移動可能に取り付けられる。
ボールアセンブリ２６は、ボール保持器３６及び複数のボール３８を有する。
ボール保持器３６は、上保持部４０ａ、下保持部４０ｂ、及び上保持部４０ａと下保持部４０ｂとの間、に接続される側部４２を有する。
上保持部４０ａは、第一レール２２の上壁３０ａに隣り合う箇所に位置する。
下保持部４０ｂは、第一レール２２の下壁３０ｂに隣り合う箇所に位置する。
側部４２は、第一レール２２の側壁３２に隣り合う箇所に位置する。
複数のボール３８は、上保持部４０ａと、下保持部４０ｂと、にそれぞれに取り付けられ、複数のボール３８が第二レール２４に接触する。
ボール保持器３６は、係止部４４をさらに有する。
好ましくは、係止部４４は、ボール保持器３６の側部４２に位置する。
好ましい実施形態において、ボール保持器３６は、側部４２の前端に隣り合う箇所に位置する突出部４６を有する。突出部４６とストッパ３４とは互いに対応する。例えば、ストッパ３４の位置は、突出部４６に対応する。
【００２３】
ダンピング装置２８は、第一レール２２に取り付けられる。
ダンピング装置２８は、筒体４８及びピストンロッド５０を有する。
ピストンロッド５０は、常に筒体４８の外部に突出し、緩衝作用を発生可能である。
ピストンロッド５０が外力に押されるとき、ピストンロッド５０が筒体４８の内部にゆっくり収納され、緩衝作用が生じる。
好ましい実施形態において、ピストンロッド５０に取り付けられる部品５２をさらに有する。
部品５２は、ボール保持器３６の係止部４４に対応する。
【００２４】
好ましい実施形態において、スライドレールアセンブリ２０は、第三レール５４をさらに備える。
第一レール２２は、第三レール５４により第三レール５４に相対して移動する。
図４に、第二レール２４が第一レール２２に相対して収納位置状態を示す。
【００２５】
図５から図７に示す通り、第二レール２４が第一レール２２に相対して図４に示す収納位置から一方向Ｄ１に向かって移動するとき、ボール保持器３６は、複数のボール３８の回転接触により第二レール２４に連動する。第二レール２４のストッパ３４に接触すると、ボール保持器３６はさらに第二レール２４に連動して強制的に移動する。
【００２６】
図８から図１１に示す通り、ボール保持器３６が連動して強制的に予定位置まで移動すると、ボール保持器３６の係止部４４がダンピング装置２８のピストンロッド５０の部品５２と接触して、ピストンロッド５０が筒体４８の内部にゆっくり収納され、緩衝作用が生じる。
つまり、ボール保持器３６の係止部４４に生じる緩衝作用を通じて緩衝される。従って、第二レール２４が第一レール２２に相対して移動するとき、緩衝作用が生じる。
【００２７】
前述した本発明の実施形態は本発明を限定するものではなく、よって、本発明により保護される範囲は特許請求の範囲を基準とする。
【符号の説明】
【００２８】
２０  スライドレールアセンブリ
２２  第一レール
２４  第二レール
２６  ボールアセンブリ
２８  ダンピング装置
３０ａ  上壁
３０ｂ  下壁
３１ａ  前端
３１ｂ  後端
３１ｃ  中間部
３２  側壁
３４  ストッパ
３６  ボール保持器
３８  ボール
４０ａ  上保持部
４０ｂ  下保持部
４２  側部
４４  係止部
４６  突出部
４８  筒体
５０  ピストンロッド
５２  部品
５４  第三レール
Ｄ１  方向
【図１】
2018069033.tif 000003
【図２】
2018069033.tif 000004
【図３】
2018069033.tif 000005
【図４】
2018069033.tif 000006
【図５】
2018069033.tif 000007
【図６】
2018069033.tif 000008
【図７】
2018069033.tif 000009
【図８】
2018069033.tif 000010
【図９】
2018069033.tif 000011
【図１０】
2018069033.tif 000012
【図１１】
2018069033.tif 000013